(57)【要約】【課題】雄端子金具の弾性押圧片の過大変位を防止して、雄端子金具との間に安定した電気的接続特性を確保でき、しかも、材料板材の薄肉化を図ることができる雌端子金具における押圧片過大変位防止構造を提供すること。【解決手段】略角筒状の端子本体部に、雄端子金具の接続板部３を端子接触板部３１に付勢する弾性押圧片３３を備えた雌端子金具において、端子本体部５の先端部に、弾性押圧片３３が接続板部３との接触により一定以上変位するとき弾性押圧片３３に接触して弾性押圧片３３の変位を規制する変位規制部６１を備えて、弾性押圧片３３の過大変位を防止する押圧片過大変位防止構造。【選択図】図７
2010027372.tif 000002
【特許請求の範囲】
【請求項１】
雄端子金具の舌状の接続板部が挿入される略角筒状の端子本体部と、当該端子本体部内の一側の壁部に設けられ前記接続板部の一面が接触する端子接触板部と、前記端子本体部内の前記端子接触板部に対向する側に前記端子本体部の先端側に向かって延出して設けられ前記接続板部を前記端子接触板部に付勢する弾性押圧片と、を備え、且つ、前記端子本体部の先端部には、前記弾性押圧片の先端側を覆って端子本体部に挿入される接続板部の先端が弾性押圧片の先端部に衝突することを防止する保護壁が設けられた雌端子金具における、前記弾性押圧片の過大変位を防止する押圧片過大変位防止構造であって、
前記端子本体部の先端部には、前記弾性押圧片が前記接続板部との接触により外方に一定以上変位するとき前記弾性押圧片が接触して前記弾性押圧片の外方への過大変位を防止する変位規制部が設けられている、
ことを特徴とする雌端子金具における押圧片過大変位防止構造。
【請求項２】
前記変位規制部は、前記保護壁の一縁から延出した形態で設けられていることを特徴とする請求項１に記載の雌端子金具における押圧片過大変位防止構造。
【請求項３】
前記弾性押圧片は、前記端子本体部を構成する壁部から折り曲げられて形成されていることを特徴とする請求項１又は２に記載の雌端子金具における押圧片過大変位防止構造。
【請求項４】
前記弾性押圧片の側縁には、該弾性押圧片の側方に位置する前記端子本体部の本体側壁部に向かって突出した突起部が延設されると共に、
前記本体側壁部の前記弾性押圧片の側方に位置する部分には、前記突起部が挿入及び配置された突起挿通孔が設けられており、
前記突起挿通孔を画成する前記本体側壁部の内周面により前記突起部の内方への可動範囲を規制することで前記弾性押圧片の内方への過大変位を防止することを特徴とする請求項１〜３の何れか一項に記載の雌端子金具における押圧片過大変位防止構造。
【発明の詳細な説明】
【技術分野】
【０００１】
本発明は、雄端子金具の舌状の接続板部が挿入される略角筒状の端子本体部内に、前記接続板部を前記端子本体部内の端子接触板部に押圧接触させる弾性押圧片が装備される雌端子金具において前記弾性押圧片の過大変位を防止する押圧片過大変位防止構造に関する。
【背景技術】
【０００２】
図１０〜図１３は、雄端子金具の舌状の接続板部が挿入接続される雌端子金具の従来例を示したものである。
【０００３】
ここに示した雌端子金具１００は、下記特許文献１に開示されたもので、電線１０３が接続される電線接続部１０５と、雄端子金具の舌状の接続板部１０７が挿入接続される略角筒状の端子本体部１０９を備えている。
【０００４】
電線接続部１０５は、電線１０３を外被１０３ａの上から押える被覆加締め部１１１と、電線１０３の導体部１０３ｂを圧着接続する導体加締め部１１３とを備えている。
【０００５】
端子本体部１０９は、上壁部１２１と、折り曲げにより上壁部１２１の両側に立設された側壁部１２３，１２４と、前記上壁部１２１に対向するように、それぞれの側壁部１２３，１２４の下縁に折り曲げ形成された底壁部１２６，１２７とで、略角筒状の構造を造っている。
【０００６】
２枚の底壁部１２６，１２７は、重なり合って設けられている。そして、内側に位置する底壁部１２６には、図１１及び図１２に示すように、接続板部１０７の一面１０７ａが接触する端子接触板部１３１が打ち出し形成されている。外側に位置する底壁部１２７は、底壁部１２６の下方への変位を規制する役割をする。また、外側の底壁部１２７には、図１３に示すように、コネクタハウジング１４１の端子挿入孔１４２内のランス１４３に係合するハウジング係合突起１２７ａが切り起こしにより形成されている。
【０００７】
また、端子接触板部１３１に対向する上壁部１２１側には、接続板部１０７の他方の面１０７ｂを押圧して、接続板部１０７を端子接触板部１３１に接触した状態に維持する弾性押圧片１３３が装備されている。
【０００８】
更に、上壁部１２１の先端には、弾性押圧片１３３の先端側を覆って端子本体部１０９に挿入される接続板部１０７の先端が弾性押圧片１３３の先端部に衝突することを防止する保護壁１３５が延設されている。
【０００９】
【特許文献１】特開２００７−１９４０４７号公報
【発明の開示】
【発明が解決しようとする課題】
【００１０】
ところで、上記の雌端子金具１００は、弾性押圧片１３３の先方に保護壁１３５を装備しているため、接続板部１０７の挿入時に、接続板部１０７が弾性押圧片１３３の先端に衝突する事で弾性押圧片１３３が変形したり破損したりする不都合の発生を防止することができる。
【００１１】
しかし、弾性押圧片１３３が接続板部１０７を端子接触板部１３１に押圧した時に、その反力で、弾性押圧片１３３自体は上壁部１２１側（上方）に変位するが、その時の弾性押圧片１３３自体の上方への変位量を規制するような配慮はなされていない。
【００１２】
そのため、端子接触板部１３１と弾性押圧片１３３との間に接続板部１０７が挿入された時に、例えば、接続板部１０７が図１３の矢印Ａ方向にこじられたりすると、弾性押圧片１３３が過大に外方側に変位してしまう虞があった。
【００１３】
そして、弾性押圧片１３３が過大に外方側に変位してしまった場合には、弾性押圧片１３３に塑性変形や破損が生じることによって、接続板部１０７と端子接触板部１３１との間の接触圧が不足してしまって、電気的な接続特性が低下したり、電気的な接続が不安定になる虞があった。
【００１４】
また、このような板金製の雌端子金具では、材料となる金属板の板厚をできるだけ薄肉化することが低コスト化に有効であるが、上記の雌端子金具１００の構造の場合、薄肉化すると弾性押圧片１３３の弾性強度の低下により、更に弾性押圧片１３３の過大変位による電気的接続特性の低下が発生し易くなってしまうため、実際には材料板材の薄肉化による低コスト化を図ることが難しいという問題もあった。
【００１５】
本発明の目的は上記課題を解消することに係り、雄端子金具の接続板部が端子本体部へ挿入される時にこじり力が作用しても、それにより弾性押圧片が過大に変位して相互の接触圧の不足を招くことがなく、雄端子金具との間に安定した電気的な接続特性を確保でき、しかも、材料板材の薄肉化により低コスト化を図ることができる雌端子金具における押圧片過大変位防止構造を提供することにある。
【課題を解決するための手段】
【００１６】
本発明の前述した目的は、下記の構成により達成される。
（１）  雄端子金具の舌状の接続板部が挿入される略角筒状の端子本体部と、当該端子本体部内の一側の壁部に設けられ前記接続板部の一面が接触する端子接触板部と、前記端子本体部内の前記端子接触板部に対向する側に前記端子本体部の先端側に向かって延出して設けられ前記接続板部を前記端子接触板部に付勢する弾性押圧片と、を備え、且つ、前記端子本体部の先端部には、前記弾性押圧片の先端側を覆って端子本体部に挿入される接続板部の先端が弾性押圧片の先端部に衝突することを防止する保護壁が設けられた雌端子金具における、前記弾性押圧片の過大変位を防止する押圧片過大変位防止構造であって、
前記端子本体部の先端部には、前記弾性押圧片が前記接続板部との接触により外方に一定以上変位するとき前記弾性押圧片が接触して前記弾性押圧片の外方への過大変位を防止する変位規制部が設けられている、
ことを特徴とする雌端子金具における押圧片過大変位防止構造。
【００１７】
（２）  前記変位規制部は、前記保護壁の一縁から延出した形態で設けられていることを特徴とする前記（１）に記載の雌端子金具における押圧片過大変位防止構造。
【００１８】
（３）  前記弾性押圧片は、前記端子本体部を構成する壁部から折り曲げられて形成されていることを特徴とする前記（１）又は（２）に記載の雌端子金具における押圧片過大変位防止構造。
【００１９】
（４）  前記弾性押圧片の側縁には、該弾性押圧片の側方に位置する前記端子本体部の本体側壁部に向かって突出した突起部が延設されると共に、
前記本体側壁部の前記弾性押圧片の側方に位置する部分には、前記突起部が挿入及び配置された突起挿通孔が設けられており、
前記突起挿通孔を画成する前記本体側壁部の内周面により前記突起部の内方への可動範囲を規制することで前記弾性押圧片の内方への過大変位を防止することを特徴とする前記（１）〜（３）の何れか一項に記載の雌端子金具における押圧片過大変位防止構造。
【００２０】
上記（１）の構成によれば、例えば雄端子金具の接続板部が端子本体部へ挿入される時にこじり力が作用して、弾性押圧片が前記接続板部からのこじり力によって外方に一定以上変位しようとしたとき、前記変位規制部との接触により、弾性押圧片が一定以上外方に変位することが規制され、弾性押圧片の過大変位による塑性変形や破損が防止される。
即ち、弾性押圧片の外方への変位は常に一定範囲以下に規制されるため、弾性押圧片が外方に過大に変位して接続板部と端子接触板部との間に接触圧の不足を招くことがなく、雄端子金具との間に安定した電気的な接続特性を確保できる。
【００２１】
しかも、材料板材の薄肉化を図っても、前記変位規制部により弾性押圧片の外方への過大変位を確実に防止できるため、材料板材の薄肉化により低コスト化を図ることもできる。
【００２２】
更に、上記（２）の構成によれば、弾性押圧片の変位を規制する変位規制部は、保護壁から延出する形態で装備されていて、保護壁と一緒にプレス加工により形成できるため、変位規制部の追加が部品点数の増加を招くことがなく、雌端子金具の生産性を向上させることができる。
【００２３】
更に、上記（３）の構成によれば、例えば、保護壁や変位規制部は端子本体部の上部壁部に設け、弾性押圧片は前記上部壁部の一側方に位置する一方の側壁部の上縁から折り曲げて形成することにより、効率的な板取りが可能になり、雌端子金具の歩留まりを向上させることができる。
【００２４】
更に、上記（４）の構成によれば、変位規制部と弾性押圧片との当接により弾性押圧片の外方への過大変位が規制される一方、突起挿通孔と突起部との係合によって弾性押圧片の内方への過大変位が規制されて、結局、弾性押圧片は内外双方への過大変位が規制されるため、弾性押圧片の過大変位による変形や破損をより確実に防止することが可能になる。
【発明の効果】
【００２５】
本発明による雌端子金具における押圧片過大変位防止構造によれば、例えば雄端子金具の接続板部が端子本体部へ挿入される時にこじり力が作用して、弾性押圧片が前記接続板部からのこじり力によって外方に一定以上変位しようとしたとき、前記変位規制部との接触により、弾性押圧片が一定以上外方に変位することが規制され、弾性押圧片の外方への過大変位による塑性変形や破損が防止される。
【００２６】
従って、弾性押圧片が外方に過大に変位して接続板部と端子接触板部との間に接触圧の不足を招くことがなく、雄端子金具との間に安定した電気的な接続特性を確保できる。
【００２７】
しかも、材料板材の薄肉化を図っても、前記変位規制部により弾性押圧片の過大変位を確実に防止できるため、材料板材の薄肉化により低コスト化を図ることもできる。
【発明を実施するための最良の形態】
【００２８】
以下、本発明に係る雌端子金具における押圧片過大変位防止構造の好適な実施形態について、図面を参照して詳細に説明する。
【００２９】
図１〜図７は本発明に係る押圧片過大変位防止構造を採用した雌端子金具の一実施形態を示したもので、図１は一実施形態の雌端子金具の斜視図、図２は図１に示した雌端子金具にプレス成形する金属板の展開図、図３は図１に示した雌端子金具における押圧片過大変位防止構造を示す断面斜視図、図４（ａ）は図１に示した雌端子金具における端子本体部の左側面上方側からの拡大斜視図、図４（ｂ）は同端子本体部の右側面上方側からの拡大斜視図、図５は図１に示した雌端子金具における端子本体部の右側面下方側からの拡大斜視図、図６は図１に示した雌端子金具の縦断面図、図７は図１に示した雌端子金具に雄端子金具の接続板部が接続された状態の縦断面図である。
【００３０】
この一実施形態の雌端子金具１は、金属板のプレス成形によって所定形状に形成されるもので、電線が接続される電線接続部２と、雄端子金具の舌状の接続板部３（図７参照）が挿入される略角筒状の端子本体部５とを備えている。
【００３１】
電線接続部２は、電線をその外被の上から押える被覆加締め部２ａと、電線の導体部を圧着接続する導体加締め部２ｂとを備えている。
【００３２】
端子本体部５は、底壁部１１と、折り曲げにより底壁部１１の両側に立設された側壁部１３，１４と、前記底壁部１１に対向するように、側壁部１４の上縁に折り曲げ形成された上部壁部１７とで、略角筒状の構造を造っている。
【００３３】
なお、図２の展開図に記入している二点鎖線の線分Ａ１〜Ａ４は、底壁部１１の両側に、側壁部１３，１４及び上部壁部１７をプレス成形する時の折り曲げ箇所を例示したものである。
【００３４】
略角筒状の端子本体部５の一側の壁部である底壁部１１には、図５〜図７に示すように、接続板部３の一面３ａが接触する端子接触板部３１が打ち出し形成される。
【００３５】
この端子接触板部３１は、その前後のそれぞれの端縁に底壁部１１に連絡するブリッジ部３１ａがあり、打ち出し加工時にはこのブリッジ部３１ａが絞られて、端子接触板部３１が上方に隆起した形態に成形される。
【００３６】
なお、図２に示した展開図では、端子接触板部３１の左右の端縁にも、底壁部１１に連絡するブリッジ部３１ｂが設けられている。しかし、この左右端縁のブリッジ部３１ｂは、端子接触板部３１を打ち出し加工する前に切除される。
【００３７】
また、端子本体部５の端子接触板部３１に対向する上部壁部１７の内側には、端子本体部５内に挿入された接続板部３の他方の面３ｂを端子接触板部３１側に付勢する弾性押圧片３３が設けられている。
【００３８】
この弾性押圧片３３は、図２に示すように側壁部１３の上縁から端子本体部５の先端側に向かって延出していて、プレス成形により端子接触板部３１に対向する位置に折り曲げられて、図６に示すように、先端側及び中間部に曲げ部３３ａ，３３ｂを有した板ばね形状に成形される。
【００３９】
弾性押圧片３３の先端側の曲げ部３３ａは、上方に凸の曲げ部である。また、弾性押圧片３３の中間部の曲げ部３３ｂは下に凸の曲げ部で、図７に示すように、この曲げ部３３ｂの周辺が接続板部３の他方の面３ｂへの接触部となる。
【００４０】
本実施形態の場合、端子本体部５の先端部には、前記弾性押圧片３３の先端側を覆って端子本体部５に挿入される接続板部３の先端が弾性押圧片３３の先端部に衝突することを防止し、また、弾性押圧片３３と上部壁部１７との間の隙間に接続板部３が誤挿入されることを防止する保護壁３５が設けられている。
【００４１】
この保護壁３５は、図２に示すように、上部壁部１７の先端から先方に延出する突片３５Ａを、その先端が底壁部１１側を向くように折り曲げることにより、形成されている。
【００４２】
更に、本実施形態の場合、端子本体部５の先端部には、変位規制部６１を備えている。
この変位規制部６１は、上部壁部１７の一部で、保護壁３５の上縁（一縁）から延出した形態に装備されていて、弾性押圧片３３が接続板部３との接触により一定以上外方（上方）に変位するときに弾性押圧片３３の先端側の曲げ部３３ａが接触することにより、該弾性押圧片３３の外方への変位を一定値以下に規制する。
【００４３】
弾性押圧片３３の曲げ部３３ａと曲げ部３３ｂとの間の斜面３３ｃは、図６及び図７に示すように、挿入される接続板部３の先端部が当接した時に、接続板部３の先端部を曲げ部３３ｂ側に誘導する案内面として機能する。
【００４４】
本実施形態の場合、図２及び図３に示すように、端子接触板部３１の両側に、該端子接触板部３１の両側に位置する本体側壁部１３，１４に向かって突出した突起部３７を延設している。
突起部３７は、端子接触板部３１の長さ方向に離間した２位置に、それぞれ装備されている。
【００４５】
また、端子接触板部３１の両側に位置する本体側壁部１３，１４には、各突起部３７を挿通させて、各突起部３７の上下方向の可動範囲を規制する突起挿通孔３９を設けている。
【００４６】
突起挿通孔３９は、開口の下縁３９ａが突起部３７の下面の高さよりも適宜距離だけ下方に設定されていて、この距離が突起部３７の下方への可動範囲となる。
【００４７】
本実施形態の雌端子金具１において、突起挿通孔３９によって突起部３７の可動範囲を規制する構造は、接続板部３から作用する付勢力で端子接触板部３１が過大に変位することを防止する接触部過大変位防止構造となっている。
【００４８】
この場合に、端子接触板部３１の過大変位とは、端子接触板部３１が前記突起挿通孔３９の下縁３９ａまでの離間距離以上に底壁部１１側に変位することを意味している。
【００４９】
更に、本実施形態の雌端子金具１における接触部過大変位防止構造では、図６に示すように、端子本体部５の先端側に位置する突起部３７には、突出方向（端子本体部５の幅方向）に沿って延びる折り曲げ部４１を打ち出し形成している。
【００５０】
この折り曲げ部４１は、突起部３７の剛性を高めて、突起部３７による位置規制性能を向上させる。
【００５１】
更に、本実施形態の雌端子金具１では、図２及び図３に示すように、弾性押圧片３３の一方の側縁に、該弾性押圧片３３の側方に位置する本体側壁部１４に向かって突出した突起部６５を延設している。
【００５２】
また、弾性押圧片３３の一方の側縁に対向する本体側壁部１４には、突起部６５を挿通させて、突起部６５の内方（端子接触板部３１側）への可動範囲を規制する突起挿通孔６７を設けている。
【００５３】
上記の突起挿通孔６７によって突起部６５の内方への可動範囲を規制する構造は、保管時や搬送時等に、図６に示す上部壁部１７の開口１７ｂ等から弾性押圧片３３に外力が作用して、外力により弾性押圧片３３が内方（端子接触板部３１側）に過大変位することを防止する押圧片過大変位防止構造として機能する。
【００５４】
以上に説明した雌端子金具１では、端子本体部５の先端部に弾性押圧片３３の先方を覆うように保護壁３５が装備されているため、雄端子金具の接続板部３が端子本体部５へ挿入される時に、接続板部３の挿入位置が上方側にずれたとしても、図８（ａ）に示すように接続板部３は保護壁３５に当たって端子本体部５内への侵入が阻止され、図８（ｂ）に示すように接続板部３の先端が直接弾性押圧片３３の先端に衝突する事故を防止することができる。
【００５５】
また、以上に説明した雌端子金具１では、例えば雄端子金具の接続板部３が端子本体部５へ挿入される時にこじり力が作用して、弾性押圧片３３が接続板部３からのこじり力によって外方に一定以上変位しようとしたとき、変位規制部６１との接触により、弾性押圧片３３が外方に一定以上変位することが規制され、弾性押圧片３３の過大変位による塑性変形や破損が防止される。
【００５６】
即ち、弾性押圧片３３の変位は常に一定範囲以下に規制されるため、弾性押圧片３３が過大に変位して接続板部３と端子接触板部３１との間に接触圧の不足を招くことがなく、雄端子金具との間に安定した電気的な接続特性を確保できる。
【００５７】
しかも、材料板材の薄肉化を図っても、変位規制部６１により弾性押圧片３３の過大変位を確実に防止できるため、材料板材の薄肉化により低コスト化を図ることもできる。
【００５８】
更に、上記雌端子金具１の構成によれば、弾性押圧片３３の変位を規制する変位規制部６１は、保護壁３５から延出する形態で装備されていて、保護壁３５と一緒にプレス加工により形成できるため、変位規制部６１の追加が部品点数の増加を招くことがなく、雌端子金具１の生産性を向上させることができる。
【００５９】
更に、上記雌端子金具１の構成によれば、例えば、図２にも示したように、保護壁３５や変位規制部６１は端子本体部５の上部壁部１７に設け、弾性押圧片３３は前記上部壁部１７の一側方に位置する一方の側壁部１３の上縁から折り曲げて形成することにより、効率的な板取りが可能になり、雌端子金具１の歩留まりを向上させることができる。
【００６０】
更に、上記雌端子金具１の構成によれば、変位規制部６１と弾性押圧片３３との当接により弾性押圧片３３の外方への過大変位が規制される一方、突起挿通孔６７と突起部６５との係合によって弾性押圧片３３の内方への過大変位が規制されて、結局、弾性押圧片３３は内外双方への過大変位が規制されるため、弾性押圧片３３の過大変位による変形や破損をより確実に防止することができる。
【図面の簡単な説明】
【００６１】
【図１】本発明に係る押圧片過大変位防止構造を採用した雌端子金具の一実施形態の斜視図である。
【図２】図１に示した雌端子金具にプレス成形する金属板の展開図である。
【図３】図１に示した雌端子金具における押圧片過大変位防止構造を示す断面斜視図である。
【図４】（ａ）は図１に示した雌端子金具における端子本体部の左側面上方側からの拡大斜視図、（ｂ）は同端子本体部の右側面上方側からの拡大斜視図である。
【図５】図１に示した雌端子金具における端子本体部の右側面下方側からの拡大斜視図である。
【図６】図１に示した雌端子金具の縦断面図である。
【図７】図１に示した雌端子金具に雄端子金具の接続板部が接続された状態の縦断面図である。
【図８】図１に示した雌端子金具における保護壁の作用の説明図である。
【図９】図１に示した雌端子金具における接触部過大変位防止構造における作用の説明図である。
【図１０】従来の雌端子金具の側面図である。
【図１１】図１０に示した雌端子金具の正面図である。
【図１２】図１０に示した雌端子金具の先端部の拡大斜視図である。
【図１３】図１０に示した雌端子金具がコネクタハウジングに挿着された状態の縦断面図である。
【符号の説明】
【００６２】
１  雌端子金具
２  電線接続部
３  接続板部
３ａ  一面
５  端子本体部
１１  底壁部
１３，１４  側壁部
１７  上部壁部
２１  切欠
２３  連結片
３１  端子接触板部
３１ａ  ブリッジ部
３１ｂ  ブリッジ部
３３  弾性押圧片
３３ａ，３３ｂ  曲げ部
３５  突片（保護壁）
３７  突起部
３９  突起挿通孔
４１  折り曲げ部
４３  付け根部分
５１  領域
６１  変位規制部
６５  突起部
６７  突起挿通孔
【図１】
2010027372.tif 000003
【図２】
2010027372.tif 000004
【図３】
2010027372.tif 000005
【図４】
2010027372.tif 000006
【図５】
2010027372.tif 000007
【図６】
2010027372.tif 000008
【図７】
2010027372.tif 000009
【図８】
2010027372.tif 000010
【図９】
2010027372.tif 000011
【図１０】
2010027372.tif 000012
【図１１】
2010027372.tif 000013
【図１２】
2010027372.tif 000014
【図１３】
2010027372.tif 000015